(57)【特許請求の範囲】
【請求項１】
上部に持ち手と液体を出し入れする取入口と取出し口が設けられ、上記取入口と取出し口には各々キャップが取り外し自在に取り付けられているポリタンクにおいて、上記ポリタンクの上部は外形が卵形の湾曲面に形成され、上記ポリタンク上部中央には、持ち手が長手方向に一体成型されて形成され、この持ち手の両端部付近に上記取入口と取出し口が設けられ、上記ポリタンクの底部には、長手方向に凹溝が設けられ、この凹溝の両側は、上記ポリタンクの底面の接地部となる一対の凸部として形成され、上記凹溝内には、上記取入口と取出し口の各キャップが安定に嵌合する凹部が設けられ、上記凹溝の内側縁部には、上記ポリタンクの上部の卵形の湾曲面に沿った曲率の湾曲面が形成され、複数のポリタンクを上下に積み重ねた際に、上記キャップが上方に積み重ねられたポリタンクの上記凹部に嵌合し、上方のポリタンクを位置決めするとともに、上記凹溝の湾曲面が長手方向に対して対称に、下方の上記ポリタンクの卵形の上面に面接触して均等に当接し、安定に積み重ねられることを特徴とするポリタンク。
【請求項２】
上記持ち手が上記ポリタンク上部の長手方向に延長され、上記持ち手の両端部上に上記取入口と取出し口が設けられたことを特徴とする請求項１記載のポリタンク。
【発明の詳細な説明】
【０００１】
【発明の属する技術分野】
この発明は、灯油や水等の液体を収容するポリタンクに関する。
【０００２】
【従来の技術】
従来より、例えば灯油を小分けして持ち運び、保存を行なう灯油缶は、耐油性の硬いプラスチック製のものが知られている。この灯油缶は、角部にＲが形成された箱状の外形であり、上面中央には持ち手が一体成型され、持ち手の両端部付近に灯油の取入口と取出し口が各々設けられている。そして、この取入口と取出し口の周縁は各々円筒状の雄ネジ部が形成され、雌ネジが形成され漏れ防止用のパッキンが取り付けられたキャップがこの雄ネジ部に取り外し自在に設けられている。
【０００３】
【発明が解決しようとする課題】
上記従来の技術の場合、上方の持ち手やキャップが邪魔になり、灯油缶どうしを上下に積み重ねることができず、保存に場所をとるものであった。しかもプラスチック製の灯油缶では、積み重ねての保管を可能とする安全基準を満たすものはなく、強度的に十分なものはない。また、上面が平らに形成された灯油缶もあるが、安定に位置決めされて積み重ねることができるものではなく、また積み重ねて保管することができる強度がなく、安全基準を満たすものでもない。さらに位置が規定されていないので、不用意に積み重ねると崩れてしまう恐れもあった。
【０００４】
この発明は、上記従来の技術の問題点に鑑みてなされたものであり、上下に安定して積み重ねることができるポリタンクを提供することを目的とする。
【０００５】
【課題を解決するための手段】
この発明は、上部に持ち手と液体を出し入れする取入口が設けられ、取入口にはキャップが取り外し自在にはめ込まれているポリタンクであり、底部にはこの持ち手とキャップが嵌合可能な形の凹部が設けられ、複数の同型のポリタンクを上下に積み重ねた際に、この凹部内面の曲面が下方のポリタンクの上部表面の曲面に面接触して安定に位置決めされて当接するポリタンクである。このとき、上記キャップが上に積み重ねられたポリタンクの上記凹部に嵌合し、互いに位置決めされるものである。
【０００６】
この発明のポリタンクは、同型のポリタンクを上下に重ねたとき、下方のポリタンクの上部の表面と、上方のポリタンクの底部に設けられた凹部の曲面とが互いに広い範囲で面接触して位置決めされ、上方のポリタンクの力が下方のポリタンクの上部表面で分散され、安定に積み重ねられ、持ち手とキャップの突出部分が支障とならず、安定に位置決めされた状態で積み重ねることができる。
【０００７】
【発明の実施の形態】
以下、この発明の実施の形態について、図面に基づいて説明する。図１〜図６は、この発明の第一実施形態のポリタンク１０を示したもので、耐油性の硬いポリエチレン等の樹脂製で、内容量は例えば１５リットルの油用のポリタンクである。なお、用途は灯油等の油の他、水やその他の液体用のタンクとしても用いることができることは言うまでもない。このポリタンク１０の外形は外表面が曲面で形成され、図４に示すように正面図では水平方向に長い長丸で、図３、図６に示すように上下方向から見ると卵型をしており、図５に示すように側面視では垂直方向に長い卵型となっている。
【０００８】
ポリタンク１０の上部中央には、持ち手１２が正面に対して横方向に渡されて形成されている。持ち手１２はポリタンク１０の本体から一体成型され、持ち手１２の下方の指があたる部分には、浅いくぼみが４つ連なって形成される受け部１４が設けられている。
【０００９】
持ち手１２の両端部付近には、灯油の取入口１６と取出し口１８が設けられている。取入口１６と取出し口１８は、各々円筒状に形成され、その周面は雄ネジ部１９で囲まれている。この雄ネジ部１９には、内側に雌ネジが形成され、漏れを防止するパッキンが取り付けられたキャップ２０が螺合される。各キャップ２０は指掛け用のＵ字状の凹部２１が形成され、軽い力で回転可能に形成されている。
【００１０】
ポリタンク１０の底部は、正面図において横方向に凹溝２２が設けられている。凹溝２２の両側は、このポリタンク１０の底面の接地部となる一対の凸部２４として形成されている。凹溝２２内には、持ち手１２、キャップ２０、２０が安定に嵌合する凹部２６が設けられている。凹部２６は、３ケ所に区切られ同型のポリタンク１０を上下に重ねたときに、下方のポリタンク１０の持ち手１２、キャップ２０、２０に各々嵌合する位置に設けられている。凹溝２２の内側縁部には、ポリタンク１０の上部１５の湾曲状態に沿った曲率の湾曲面２８が形成され、この湾曲面２８が下方のポリタンク１０の上面に面接触して均等に当接し、安定に積み重ねられる。
【００１１】
このポリタンク１０は、取入口１６から灯油や水等の液体を入れてキャップ２０を締め、複数の同型のポリタンク１０を上方に積み重ねて保管することもできる。このとき、下方のポリタンク１０に設けられた持ち手１２、キャップ２０、２０は、上方のポリタンク１０の凹部２６に嵌合し、凹溝２２の湾曲面２８が下方のポリタンク１０の上面に面接触して位置決めされる。これにより、上下に重ねるときに持ち手１２やキャップ２０が支障にならず、正確な位置に積み重ねることができる。また、凹溝２２の湾曲面２８が下方のポリタンク１０の上部に均等に面接触して当接し、上方のポリタンク１０をバランス良く確実に支持する。さらに、凹部２６は持ち手１２やキャップ２０の形状に合わせて形成され、凹部２６に持ち手１２等が嵌合することにより、ずれや落下を防止することができる。
【００１２】
さらに、ポリタンク１０の外観は丸みを帯び、従来にない形であり、容量が大きいが、比較的小さい外観にすることができる。さらに、外形が丸みを帯びた形状に形成され、角部のように応力が集中する部分が少なく、積み重ねた際にも上下のポリタンク１０が互いに曲面同士で面接触し、衝撃や荷重等に対する強度も高いものにすることができる。
【００１３】
次にこの発明の第二実施形態のポリタンクについて図７〜図１０をもとにして説明する。ここで上記実施形態と同様の部分は同一符号を付して説明を省略する。
【００１４】
この実施形態のポリタンク３０は、上記実施形態のポリタンク１０よりさらに丸みを増した形状に形成されたものである。これにより、凹溝２２と対面する上部１５の傾斜がより大きくなり、曲率半径も大きなものとなっている。同様に、上部１５と接触する凹溝２２の内面が同様の曲率に形成され、荷重がより分散され、上下方向の荷重に対する強度がさらに高いものとなる。
【００１５】
なお、このポリタンクは灯油缶以外、非常用やキャンプ用の飲料水入れ等、あらゆる用途に使用される。ポリタンクの形状や大きさ、素材等も上記実施の形態に限定されるものではなく、用途に合わせて適宜変更可能なものである。
【００１６】
【発明の効果】
この発明のポリタンクは、複数のポリタンクを安定に確実に上下に積み重ねることができ、保管場所の節減を可能にし、全体に丸みを帯びた形状であり、上下に積み重ねた際に、互いの接触面である曲面が面接触し、力が集中する部分がなく、長期間の荷重や衝撃に強く、外観上も好ましいものである。
【図面の簡単な説明】
【図１】  この発明の第一実施形態のポリタンクの斜視図である。
【図２】  この実施形態のポリタンクの使用状態を示す斜視図である。
【図３】  この実施形態のポリタンクの平面図である。
【図４】  この実施形態のポリタンクの正面図である。
【図５】  この実施形態のポリタンクの右側面図である。
【図６】  この実施形態のポリタンクの底面図である。
【図７】  この発明の第二実施形態のポリタンクの斜視図である。
【図８】  この実施形態のポリタンクの正面図である。
【図９】  この実施の形態のポリタンクの平面図である。
【図１０】  この実施の形態のポリタンクの底面図である。
【符号の説明】
１０，３０    ポリタンク
１２    持ち手
１５    上部
２０    キャップ
２２    凹溝
２４    凸部
２６    凹部
２８    湾曲面
【図１】
0003770658.tif 000002
【図２】
0003770658.tif 000003
【図３】
0003770658.tif 000004
【図４】
0003770658.tif 000005
【図５】
0003770658.tif 000006
【図６】
0003770658.tif 000007
【図７】
0003770658.tif 000008
【図８】
0003770658.tif 000009
【図９】
0003770658.tif 000010
【図１０】
0003770658.tif 000011